(57)【要約】【課題】再利用乃至は共通利用可能な部材を含んで構成されている場合であっても、設計自由度を大きく確保することが出来る、新規な構造のセンター役物を提供することを、目的とする。【解決手段】中心孔１０８を通じて表示装置９４の表示画面が遊技者に視認されるようになっているパチンコ機のセンター役物を、遊技球が転動可能な転動部７６と、遊技状況に応じて各種の演出をする演出部７８，８０に分割可能とし、更に、かかる演出部７８，８０を互いに異なる演出機能が集約された部分毎に分割可能とした。【選択図】図７
2009119162.tif 000002
【特許請求の範囲】
【請求項１】
中心孔を備えた枠体形状とされており、該中心孔を通じて表示装置の表示画面が遊技者に視認されるようになっているパチンコ機のセンター役物において、
遊技球が転動可能な転動部と、遊技状況に応じて各種の演出をする演出部に分割可能とされていると共に、該演出部が互いに異なる演出機能が集約された部分毎に分割可能とされていることを特徴とするパチンコ機のセンター役物。
【請求項２】
前記転動部と前記演出部の後方に配される、単一のベース部材に対して、該転動部と該演出部が固定されるようになっていると共に、該ベース部材が遊技盤に対して直接的乃至は間接的に固定されるようになっている請求項１に記載のパチンコ機のセンター役物。
【発明の詳細な説明】
【技術分野】
【０００１】
本発明は、中心孔を備えた枠体形状とされており、中心孔を通じて表示装置の表示画面が遊技者に視認可能とされたパチンコ機のセンター役物に関するものである。
【背景技術】
【０００２】
従来から、遊技領域の略中央部分において、額縁乃至は枠体の如き形状を呈するセンター役物が設けられたパチンコ機が知られている。
【０００３】
かかるセンター役物には、遊技球が転動する転動ステージや、遊技領域を流下する遊技球を転動ステージまで誘導するワープ通路が形成されている。また、センター役物に形成された中心孔を通じてセンター役物の奥側に配された表示装置の表示画面を観ることが出来るようになっている。更にまた、センター役物には、パチンコ機の機種を特徴付けるために、独特の形状が付されている。それ故、センター役物は、遊技前と遊技中の両方において、遊技者の興味を惹きつけるようになっている。
【０００４】
ところで、パチンコ機のライフサイクルは短く、特に近年は、その傾向が一層強くなっている。そこで、パチンコ機の製造を効率良く行うこと等を目的として、パチンコ機を構成する各種部材を再利用乃至は共通利用することが検討されており、センター役物もそのうちの一つに含まれている。
【０００５】
しかしながら、上述の如く、センター役物はパチンコ機の機種を特徴付けるものであることから、センター役物を他の機種に用いることは現実的ではない。
【０００６】
そこで、特許文献１に記載されているように、複数の分割役物部材に分割される構造の役物を採用し、ステージ部分が形成されている分割役物部材を再利用乃至は共通利用することが提案されている。
【０００７】
しかしながら、特許文献１に記載の役物では、ステージ部分が形成されている役物分割部材の再利用乃至は共通利用を十分に行うことが難しいという問題があった。
【０００８】
すなわち、特許文献１に記載の役物では、ステージ部分を含む下側分割役物部材に対して、下側装飾部が形成されていることから、様々なデザインの分割役物部材を予め用意して、それらを適宜組み合わせることにより、役物を構成するとしても、下側装飾部に見合った装飾が施された上側役物分割部材を用意しなければならないという制限があると共に、上側役物分割部材と下側役物分割部材の組み合わせを考えると、より普遍的な装飾になってしまうという問題があった。即ち、ステージ部分が形成されている分割役物部材を再利用乃至は共通利用しようとする場合、再利用乃至は共通利用する役物の設計自由度が低くなってしまうという問題があった。
【０００９】
【特許文献１】特開２００１−２０４９１８号公報
【発明の開示】
【発明が解決しようとする課題】
【００１０】
ここにおいて、本発明は、上述の如き事情を背景として為されたものであって、その解決課題とするところは、再利用乃至は共通利用可能な部材を含んで構成されている場合であっても、設計自由度を大きく確保することが出来る、新規な構造のセンター役物を提供することにある。
【課題を解決するための手段】
【００１１】
以下、このような課題を解決するために為された本発明の態様を記載する。なお、以下に記載の各態様において採用される構成要素は、可能な限り任意の組み合わせで採用可能である。
【００１２】
本発明は、中心孔を備えた枠体形状とされており、中心孔を通じて表示装置の表示画面が遊技者に視認されるようになっているパチンコ機のセンター役物において、遊技球が転動可能な転動部と、遊技状況に応じて各種の演出をする演出部に分割可能とされていると共に、演出部が互いに異なる演出機能が集約された部分毎に分割可能とされていることを、特徴とする。
【００１３】
このような本発明に従う構造とされたセンター役物においては、センター役物が互いに異なる機能を有する部分毎に分割出来るようになっていることから、特定の機能を有する部分だけを再利用乃至は共通利用することが可能となる。その結果、再利用乃至は共通利用しようとする部分によって、センター役物の形状や大きさ等が制約され難くなる。
【００１４】
従って、本発明に係るセンター役物においては、再利用乃至は共通利用する部分を備えていても、設計自由度を大きく確保することが可能となる。
【００１５】
なお、本発明において、転動部とは、遊技球が転動する転動ステージだけを備えていても良いし、転動ステージの他に転動ステージへ遊技球を誘導するワープ通路を備えていても良い。そこにおいて、センター役物がワープ通路を備えている場合には、ワープ通路と転動ステージの両方が転動部に設けられていることが望ましい。これにより、転動部と演出部を組み合わせる際に、ワープ通路とステージの接続部分の位置合わせが不要となる。
【００１６】
また、本発明において、演出部とは、視覚や聴覚を通じて遊技者に認識される演出を行うものをいう。例えば、電飾用ＬＥＤ等の発光手段による発光を利用した演出を行うものや、可動部材の動きを利用した演出を行うもの等によって構成される。
【００１７】
さらに、本発明において、「互いに異なる機能毎に」とは、「互いに異なる演出をする演出手段毎に」ということである。従って、異なる電飾用ＬＥＤを発光制御するのであれば、互いに異なる機能を有していることになり、異なる可動部材を駆動制御するのであれば、互いに異なる機能を有していることになる。なお、互いに異なる機能の組み合わせとしては、（１）電飾と電飾，（２）電飾と可動部材，（３）可動部材と可動部材，（４）電飾及び可動部材と電飾等が考えられる。
【００１８】
更にまた、本発明において、センター役物はセンター役物の周方向で分割されるが、センター役物の周方向で分割されることに加えて、センター役物の奥行方向（前後方向）で分割されるようにしても良い。
【００１９】
また、本発明において、センター役物が転動部と演出部に分割可能というのは、転動部と演出部を単体として取り扱うことが出来るようにするということであり、センター役物を演出部と転動部以外に分割できないことを意味するものではない。
【００２０】
さらに、本発明においては、転動部と演出部の後方に配される、単一のベース部材に対して、転動部と演出部が固定されるようになっていると共に、ベース部材が遊技盤に対して直接的乃至は間接的に固定されるようになっていることが望ましい。これにより、転動部と演出部の高度な位置決めを有利に実現することが可能となる。
【００２１】
また、転動部と演出部だけで固定されていないから、遊技球の衝突に起因する衝撃によって転動部と演出部の位置ずれが生じてしまうことを防止することが可能となる。
【発明を実施するための最良の形態】
【００２２】
以下、本発明を更に具体的に明らかにするために、本発明の実施形態について、図面を参照しつつ、詳細に説明する。
【００２３】
先ず、図１及び図２には、本発明の一実施形態としてのパチンコ機のセンター役物１０が示されている。なお、図１では、後述する前カバー７０（図８参照）と電飾カバー７４が取り外された状態が示されており、図２では、後述する前カバー７０（図８参照）が取り外された状態が示されている。また、以下の説明において、上下左右方向は、原則として、図１における上下左右方向をいうものとし、前後方向は、原則として、図１の紙面に垂直な方向をいうものとする。
【００２４】
より詳細には、センター役物１０は、全体として枠体乃至は額縁の如き形状を呈しており、下端において左右に延びる部分には、遊技球が転動する転動ステージ１２が形成されている。特に本実施形態では、転動ステージ１２が、上段ステージ１４と下段ステージ１６の上下２段に分割されている。
【００２５】
上段ステージ１４は、前端に沿って左右方向に延びる落下防止壁１８と、後端に沿って左右方向に延びる落下防止壁２０を備えている。これにより、上段ステージ１４における遊技球の転動面は、左右方向に帯状に広がっている。そこにおいて、本実施形態では、上段ステージ１４の転動面は、左右方向中央部分が凸となる一方、かかる左右方向中央部分を挟んだ両側が凹となっている。換言すれば、上段ステージ１４は、左右方向中央部分が山状部２２とされている一方、かかる山状部２２を挟んだ左右両側が谷状部２４とされている。
【００２６】
また、上段ステージ１４には、奥行方向の中間部分を左右方向の両端から中央へ向かって延びる仕切壁２６，２８が設けられている。特に本実施形態では、各仕切壁２６，２８は谷状部２４，２４の底に至らない長さで端から延び出している。
【００２７】
なお、本実施形態では、左側の仕切壁２６は、上段ステージ１４の左端へ行くに従って奥側へ位置せしめられている。即ち、本実施形態では、上段ステージ１４の左端部分は左右方向の中央へ行くに従って奥行寸法が小さくなっている。これにより、後述のワープ通路６４を通って上段ステージ１４へ誘導されてきた遊技球が上段ステージ１４を右端に向かって転動することが出来るようになっている。
【００２８】
また、上段ステージ１４の転動面には、各仕切壁２６，２８の手前側の領域において、左右方向の中央に向かって下る傾斜が付されている一方、各仕切壁２６，２８の奥側の領域において、上段ステージ１４と下段ステージ１６を連通する連通孔３０，３０が形成されている。
【００２９】
さらに、上段ステージ１４の転動面には、各谷状部２４の底において、上段ステージ１４の奥側へ下る奥側誘導面３２が形成されている。更にまた、奥側誘導面３２の下流端には、連通孔３０に向かって下る傾斜が付されている。これにより、仕切壁２６，２８の手前側の領域を転動する遊技球を奥側誘導面３２によって誘導させた後、連通孔３０に入球させることが出来るようになっている。
【００３０】
また、上段ステージ１４の山状部２２の頂には、遊技球をセンター役物１０の前方へ排出するためのトンネル３４の入口３６が開口形成されている。そこにおいて、このトンネル３４は、図３にも示されているように、下段ステージ１６の転動面よりも下方へ延びた後、センター役物１０の前面に向かって延び出している。そして、下段ステージ１６の下方において、トンネル３４の出口３８が開口形成されている。
【００３１】
さらに、上段ステージ１４の山状部２２には、トンネル３４の入口３６を左右両側から挟むようにして、一対のガイド壁４０，４０が設けられている。これら一対のガイド壁４０，４０は、それぞれ、上段ステージ１４の奥壁から前方へ向かって延びる第一壁部４２と、上段ステージ１４の奥行方向中間部分において上段ステージ１４の左右方向外方へ延びる第二壁部４４を備えている。これにより、上段ステージ１４の山状部２２を転動する遊技球は、一対の第一壁部４２，４２によって、左右両側からトンネル３４の入口３６に入球することが出来ないようになっている。また、遊技球は、第二壁部４４によって、第二壁部４４よりも前方の領域を転動するようになっている。
【００３２】
なお、本実施形態では、各ガイド壁４０における第二壁部４４と落下防止壁１８の間には、遊技球がすれ違うことが出来ない程度の大きさの隙間、即ち、遊技球２個分よりも小さな隙間が形成されている。
【００３３】
さらに、上段ステージ１４の山状部２２の頂には、トンネル３４の入口３６の前方からトンネル３４の入口３６のほうへ下る誘導傾斜面４６が形成されている。これにより、上段ステージ１４の山状部２２を転動する遊技球を、誘導傾斜面４６によってトンネル３４の入口３６のほうへ誘導させて、トンネル３４の入口３６に入球させることが出来るようになっている。
【００３４】
また、上段ステージ１４の山状部２２には、落下防止壁１８におけるトンネル３４の入口３６の前方に位置する部分に対して、トンネル３４の入口３６のほうへ向かって突出する突起４８が設けられている。そこにおいて、突起４８の高さ寸法は、遊技球の半径よりも十分に小さくされている。これにより、上段ステージ１４を転動する遊技球が突起４８を乗り越えることが出来るようになっている。なお、遊技球が突起４８を乗り越えた際に、落下防止壁１８も乗り越えることがないように、突起４８の高さ寸法や落下防止壁１８の高さ寸法が適当に設定されている。
【００３５】
また、本実施形態では、突起４８は、トンネル３４の入口３６のほうへ行くに従って幅寸法（左右方向の寸法）が短くされた山形乃至は三角形状を呈している。これにより、突起４８を乗り越える勢いがない遊技球を、突起４８の側面によって、トンネル３４の入口３６のほうへ誘導することが出来るようになっている。
【００３６】
さらに、本実施形態では、突起４８の基端部分の幅寸法は、一対のガイド壁４０，４０において左右方向で対向位置せしめられた一対の第一壁部４２，４２の対向面間距離よりも大きくされている。
【００３７】
一方、下段ステージ１６は、図４及び図５に示されているように、前端に沿って延びる落下防止壁５０と、後端に沿って延びる落下防止壁５２を備えており、転動面が左右方向に帯状に広がっている。なお、本実施形態では、下段ステージ１６の転動面における左右方向の寸法は、上段ステージ１４の転動面における左右方向の寸法よりも短くされている。
【００３８】
また、下段ステージ１６には、上段ステージ１４と同様に、左右方向中央部分に山状部５４が形成されていると共に、かかる山状部５４の左右両側に谷状部５６が形成されている。そこにおいて、各谷状部５６の底には、遊技球を前方へ排出するための排出傾斜面５８が形成されている。また、山状部５４の頂には、遊技球を前方へ排出するためのガイド傾斜面６０が形成されている。なお、落下防止壁５０には、排出傾斜面５８やガイド傾斜面６０に対応した位置において、切欠が形成されている。
【００３９】
また、落下防止壁５２の左右方向中間部分には、トンネル３４を挟んで左右両側から前方へ突出するようにガイド壁６２が設けられている。そこにおいて、本実施形態では、ガイド壁６２の左右方向中央部分は上段ステージ１４の下面に当接している。また、本実施形態では、トンネル３４の周壁の一部がガイド壁６２によって構成されている。更に、本実施形態では、ガイド壁６２の下段ステージ１６前方への突出端は、ガイド傾斜面６０の上流端の後方に位置せしめられている。
【００４０】
また、センター役物１０において、転動ステージ１２の左側を上下方向に延びる部分には、後述する遊技盤面９２を流下する遊技球を上段ステージ１４へ誘導するワープ通路６４が設けられている。
【００４１】
さらに、センター役物１０において、転動ステージ１２の右側を上下方向に延びる部分には、図６に示されているように、可動部材としてのスイングライト６６が一軸回りに回動可能に設けられている。このスイングライト６６は、電動モータ６８の駆動力によって一軸回りに高速で往復駆動せしめられる際にＬＥＤを適当な発光パターンで発光することにより、後述する表示装置９４の表示画面の前方に文字や絵柄を浮かび上がらせることが出来るものである。そして、スイングライト６６は、遊技者に有利な状態が発生しようとしている場合等、遊技状況に応じて、適当に駆動制御せしめられることにより、遊技を盛り上げるようになっている。なお、電動モータ６８は、前カバー７０が取り付けられることにより、遊技者に見えないようになっている。
【００４２】
更にまた、センター役物１０には、上端を左右方向に延びる部分において、電飾ＬＥＤ７２が設けられている。この電飾ＬＥＤ７２の発光は、電飾ＬＥＤ７２を覆うように配される電飾カバー７４を通じて遊技者に視認されるようになっている。そして、電飾ＬＥＤ７２は、遊技者に有利な状態が発生している最中や遊技者に有利な状態が発生しようとしている場合等、遊技状況に応じて、適当に発光せしめられることにより、遊技を盛り上げるようになっている。
【００４３】
このようなセンター役物１０は、図７に示されているように、四つの部材に分解可能とされている。具体的には、転動ステージ１２とワープ通路６４が設けられた転動部７６と、スイングライト６６が配設された可動部７８と、電飾ＬＥＤ７２が設けられた電飾部８０と、これら転動部７６と可動部７８と電飾部８０が固定される、枠体乃至は額縁形状のベース部材８２に分解可能とされている。即ち、本実施形態では、センター役物１０は前後方向（奥行方向）で二つに分割可能とされていると共に、その前方に位置せしめられる部分が周方向に三つに分割可能とされている。
【００４４】
そこにおいて、本実施形態の転動部７６は、その右端に上方へ向かって延びる部分が設けられていない。換言すれば、転動部７６の右端は、転動ステージ１２の右端とされている。これにより、転動部７６の右端は、センター役物１０の右端を規定しないようになっている。
【００４５】
また、本実施形態の転動部７６は、その左端において上方に向かって延びる部分が、センター役物１０の左端を上下方向に延びる部分の略半分の長さとされている。即ち、転動部７６の左端を上方に向かって延びる部分には、ワープ通路６４が形成されているだけであり、転動部７６の左端を上方に向かって延びる部分の上端によってセンター役物１０の上端が規定されないようになっている。
【００４６】
更にまた、本実施形態の転動部７６は、パチンコ機の機種に独特な装飾が施されていない。
【００４７】
また、本実施形態の可動部７８には、スイングライト６６とかかるスイングライト６６を駆動するための電動モータ６８が設けられている。即ち、可動部７８には、スイングライト６６を駆動するための機構が集約されているのである。
【００４８】
更にまた、本実施形態の電飾部８０には、電飾ＬＥＤ７２が設けられている。即ち、電飾部８０には、電飾ＬＥＤ７２による発光を利用した演出をするための機構が集約されているのである。
【００４９】
なお、このことから明らかなように、本実施形態では、可動部７８と電飾部８０によって、演出部が構成されている。
【００５０】
また、転動部７６と可動部７８と電飾部８０のベース部材８２への固定は、転動部７６と可動部７８と電飾部８０を仮止めした状態で、後方に配置したベース部材８２に対してネジ止め固定することによって行われるようになっている。なお、転動部７６と可動部７８と電飾部８０の仮止めは、例えば、隣接する部材の一方に設けられた係合突起を隣接する部材の他方に設けられた係合穴に嵌め入れること等によって実現される。
【００５１】
そして、このようなセンター役物１０は、図８に示されているように、遊技盤８４に形成された挿通孔（図示せず）に対してベース部材８２側から挿通されて、転動部７６と可動部７８と電飾部８０のそれぞれに形成された取付片８６，８８，９０が遊技盤面９２に重ね合わされてネジ止めされることにより、遊技盤８４の表側（遊技盤面９２側）に固定されるようになっている。この状態で、トンネル３４の出口３８の真下に、表示装置９４の表示画面において図柄変動を開始するきっかけとなる始動入賞装置９６が位置せしめられている。その結果、トンネル３４の出口３８から排出された遊技球やガイド傾斜面６０から排出された遊技球が始動入賞装置９６に入賞しやすくなっている。
【００５２】
また、この状態で、ベース部材８２は、図９に示されているように、遊技盤８４の裏面に設けられた取付脚９８と、基板ケース支持部材１００に対してネジ止めされるようになっている。これにより、ベース部材８２が、取付脚９８及び基板ケース支持部材１００を介して、遊技盤８４に固定されるようになっている。
【００５３】
更にまた、このようにして、センター役物１０が遊技盤８４に固定された状態で、取付脚９８に設けられたネジ固定部１０２と、ベース部材８２に設けられたネジ固定部１０４と、基板ケース支持部材１００に設けられたネジ固定部１０６とを利用して、表示装置９４が遊技盤８４の裏側に固定されるようになっている。これにより、センター役物１０の中心孔１０８を通じて表示装置９４の表示画面が遊技者に視認されるようになっている。
【００５４】
上述の如き構造とされたパチンコ機のセンター役物１０においては、転動部７６と電飾部８０と可動部７８とベース部材８２に分割可能とされている、換言すれば、ベース部材８２に対して複数の分割構造体である転動部７６，可動部７８，電飾部８０が組み付けられてなる複数部品の分割構造体にて構成されていることから、これらの部材の再利用乃至は共通利用を有利に実現することが可能となる。
【００５５】
すなわち、転動部７６には、パチンコ機の機種を特徴付ける装飾が施されていないことから、他の演出部との組み合わせに際してデザインを気にする必要がなくなる。また、転動部７６の右端が転動ステージ１２の右端とされていることから、転動部７６よりも右側に各種の演出部を配設することが可能になる。また、転動部７６よりも右側に配設される演出部の形状について、制約を受け難くすることが可能となる。
【００５６】
従って、転動部７６を再利用乃至は共通利用するセンター役物の設計自由度を大きく確保することが可能となる。
【００５７】
また、電飾部８０においては、電飾カバー７４を交換することにより、他の機種に利用することが可能となる。
【００５８】
さらに、可動部７８においては、前カバー７０を交換すると共に、スイングライト６６の発光パターンを変更することにより、他の機種に利用することが可能となる。
【００５９】
また、本実施形態では、転動部７６と電飾部８０と可動部７８がベース部材８２に固定されるようになっていることから、転動部７６と可動部７８と電飾部８０の高精度な位置決めを行うことが可能となる。
【００６０】
さらに、本実施形態では、表示装置９４がベース部材８２と基板ケース支持部材１００と取付脚９８に固定されるようになっていることから、遊技盤８４と表示装置９４とセンター役物１０の相互間での高精度な位置決めを実現することが出来る。
【００６１】
更にまた、本実施形態では、始動入賞装置９６に入賞しやすいガイド通路としてのトンネル３４と該トンネル３４の入口３６付近にガイド壁４０，４０が設けられていると共に、遊技球の転動面の前端に落下防止壁１８が設けられた上段ステージ１４において、トンネル３４の入口３６の前方であって転動面上に、転動面を転動している遊技球が乗り上げ可能でかつ、トンネル３４の入口３６のほうへ突き出たリブとしての突起４８が設けられていることから、落下防止壁１８とガイド壁４０の間に遊技球が挟まってしまう不具合を防止することが可能となる。
【００６２】
すなわち、上段ステージ１４にトンネル３４の入口３６を設けた場合、上段ステージ１４を転動する遊技球がトンネル３４の入口３６に簡単に入球しないようにするために、トンネル３４の入口３６付近にガイド壁４０，４０を設ける必要があるが、ただガイド壁４０，４０を設けるだけでは、落下防止壁１８とガイド壁４０の間に遊技球が挟まり易くなる。そこで、上段ステージ１４における特定の位置に突起４８を設けて、落下防止壁１８とガイド壁４０の間に遊技球が挟まってしまう不具合を防止するようにしたのである。
【００６３】
また、本実施形態では、上段ステージ１４と下段ステージ１６を備えた転動ステージ１２において、上段ステージ１４の転動面における前側の領域で、長手方向（左右方向）に遊技球が転動可能とされている一方、上段ステージ１４の転動面における後側の領域に、遊技球が始動入賞装置９６に入賞しやすくなるガイド通路としてのトンネル３４の入口３６と、上段ステージ１４を転動している遊技球を下段ステージ１６へ案内する案内孔としての連通孔３０，３０が設けられていることから、転動ステージ１２の前後方向の寸法を小さくすることが可能となる。これにより、奥行寸法が小さい転動ステージ１２であっても、遊技球の転動態様を多様にして、遊技者を楽しませることが可能となる。
【００６４】
更にまた、本実施形態では、ガイド通路してのトンネル３４が下段ステージ１６の上下方向に延びるように設けられていると共に、下段ステージ１６を転動する遊技球をトンネル３４の前方へ誘導するガイド壁６２が設けられており、更に、トンネル３４の前方直下に始動入賞装置９６が位置せしめられていることから、下段ステージ１６を転動している遊技球も始動入賞装置９６に入賞し易くなっている。
【００６５】
特に本実施形態では、ガイド壁６２の突出端が上段ステージ１４に対して下方から当接していることから、ガイド壁６２によって上段ステージ１４を支えることが可能となる。
【００６６】
以上、本発明の一実施形態について詳述してきたが、これはあくまでも例示であって、本発明は、かかる実施形態における具体的な記載によって、何等、限定的に解釈されるものではない。
【００６７】
例えば、演出部の組み合わせは、前記実施形態に限定されるものではない。
【００６８】
また、転動ステージ１２は、２段式のステージに限定されるものではない。
【００６９】
さらに、前記実施形態では、可動部７８において、可動部材であるスイングライト６６と、それを駆動する駆動源である電動モータ６８と、電動モータ６８の回転駆動力をスイングライト６６に伝達して揺動駆動させる駆動力の変換伝達機構が組み付けられていたが、例えば、電動モータと可動部材を、互いに異なる分割構造体に装着することも可能である。それによって、回転や揺動，往復等の可動部材を複数設ける場合に、異なる分割構造体に各別に設けた複数の可動部材を、一つの分割構造体に設けた駆動源で駆動させるようにすることも可能である。
【００７０】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００７１】
【図１】本発明の一実施形態としてのセンター役物を示す正面図。
【図２】同センター役物の斜視図。
【図３】同センター役物に設けられたトンネルを説明するための縦断面図であって、図５におけるＩＩＩ−ＩＩＩ方向の断面図。
【図４】同センター役物の下段ステージを説明するための斜視図。
【図５】同センター役物の下段ステージを説明するための平面図。
【図６】同センター役物に設けられたスイングライトを説明するための裏面図。
【図７】同センター役物の分解斜視図。
【図８】同センター役物が遊技盤に取り付けられた状態を示す正面図。
【図９】同センター役物が遊技盤に取り付けられた状態を示す裏面図。
【符号の説明】
【００７２】
１０：センター役物，７６：転動部，７８：可動部，８０：電飾部
【図１】
2009119162.tif 000003
【図２】
2009119162.tif 000004
【図３】
2009119162.tif 000005
【図４】
2009119162.tif 000006
【図５】
2009119162.tif 000007
【図６】
2009119162.tif 000008
【図７】
2009119162.tif 000009
【図８】
2009119162.tif 000010
【図９】
2009119162.tif 000011